(57)【要約】      （修正有）【課題】用途および使い勝手を著しく向上させる水素水生成器を提供する。【解決手段】本水素水生成器は、容器１が載置され、電磁誘導のための一次回路を有する第１基板１１が内蔵されたベースと、前記容器１内の原水に浸漬され、前記一次回路への給電で電磁誘導により電力を発生する二次回路を有する第２基板１２と、前記二次回路からの電力で前記原水の一部を電気分解する一対の電極とが内蔵されているユニット３とを備える。【選択図】図２
0003209310.tif 000002
【実用新案登録請求の範囲】
【請求項１】
容器と、
前記容器が載置され、電磁誘導のための一次回路を有する第１基板が内蔵されたベースと、
前記容器内の原水に浸漬され、前記一次回路への給電で電磁誘導により電力を発生する二次回路を有する第２基板と、前記二次回路からの電力で前記原水の一部を電気分解する一対の電極とが内蔵されているユニットと、を備えることを特徴とする水素水生成器。
【請求項２】
前記ユニットは、前記第２基板を水密状態で収容する本体ケースと、前記一対の電極が形成された第３基板と、前記第３基板が前記容器内の原水に接触する状態で前記第３基板を覆うユニットカバーと、を備えることを特徴とする請求項１に記載の水素生成器。
【請求項３】
前記ユニットカバーに形成された被係合部に係合する係合部を有し、前記ユニットを前記容器から取り出すための棒状の取出スティックを備えることを特徴とする請求項２に記載の水素生成器。
【請求項４】
前記ベースは前記容器の底部が嵌合する嵌合凹所が形成されたトップケースと、前記トップケースとの間において前記第１基板を収容するボトムケースとを備えることを特徴とする請求項３に記載の水素生成器。
【考案の詳細な説明】
【技術分野】
【０００１】
本考案は水素水生成器に関する。
【背景技術】
【０００２】
日常飲用している水道水には、浄水場で殺菌用に加えられた塩素のため水の味を悪くし、さらには残留塩素と水中の有機物が化合してトリハリメタン等の人体に悪影響を及ぼす物質が含まれている可能性がある。そのため、従来より、浄水器を用いて浄水の対象である水道水を取り入れ、カーボンフィルタ等により塩素、悪臭ガス等の汚染物質を除去する。
【０００３】
一方、水の改質方法として、電極間の水に電流を流し、水を電気分解してこの水の酸化還元電位を下げた還元水を作る電解器が知られている。
上記電極に直流パルス電流を印加すると、一方の電極では水素ガスが発生し、他方の電極では酸素ガスが発生する。また、電極で発生する酸素は大気中に放出されるため溶存酸素量は増加しない。一方、上記反応によって生じた水素は過飽和に液中に溶け込み、この結果、酸化体である酸素に比べて還元体である水素が増加し酸化還元電位が低下するものと考えられている。
【先行技術文献】
【特許文献】
【０００４】
【特許文献１】ＪＰ２００２−９６０６１Ａ（フロントページ）
【考案の概要】
【０００５】
前記先行文献には、浄水器の加熱殺菌装置において、加熱器の加熱手段は、電磁誘導加熱に併せてシーズヒーターなどの電気ヒーターによる電熱加熱を用いることが開示されている。しかし、容器外に一次回路を配置し、容器内に二次回路を配置することは開示されていない。
【０００６】
本考案の目的は、水素水生成器において、用途および使い勝手を著しく向上させることである。
【０００７】
本考案は容器と、
前記容器が載置され、電磁誘導のための一次回路を有する第１基板が内蔵されたベースと、
前記容器内の原水に浸漬され、前記一次回路への給電で電磁誘導により電力を発生する二次回路を有する第２基板と、前記二次回路からの電力で前記原水の一部を電気分解する一対の電極とが内蔵されているユニットと、を備える。
【０００８】
本水素水生成器において、第１基板の一次回路にＡＣアダプタなどを介して直流パルス電力が入力されると、第２基板の二次回路に電磁誘導により電力が発生する。この電力は一対の電極に給電される。電力が入力された一対の電極からは、水素および酸素が発生し、分子の小さい水素分子が原水中に多量に溶け込んだ周知の水素水が生成される。
【０００９】
生成された水素水は、飲用、スキンケア用の他、生野菜等の洗浄に用いることができる。
【００１０】
ここで、本考案では電磁誘導により電力を二次側に発生させるので、二次側のユニットが直流パルス電源に対し無線の状態となる。そのため、二次側のユニットを種々の容器に投入して用いることができる。したがって、種々の形状の容器を用いることができる。
【００１１】
たとえば、コーヒードリッパーとして用いる場合には、細長い有底円筒状のガラスポットを前記容器として用いることができる。一方、生野菜等の洗浄に用いる場合には、ガラスボールを前記容器として用いることができる。
【００１２】
このように用途に応じた種々の形状の容器を選択的に用いることができる。その結果、用途および使い勝手が著しく向上する。
【図面の簡単な説明】
【００１３】
【図１】本考案の水素水生成器の一実施例を示す側面図である。
【図２】容器および取出スティックの一部を省略して示す断面図である。
【図３】ユニットの平面図および縦断面図である。
【考案を実施するための形態】
【００１４】
好ましくは、前記ユニットは、前記第２基板を水密状態で収容する本体ケースと、前記一対の電極が形成された第３基板と、前記第３基板が前記容器内の原水に接触する状態で前記第３基板を覆うユニットカバーと、を備える。
【００１５】
この場合、電流誘導の二次回路である第２基板が水密状態で原水に触れないように本体ケース内に収容されている。そのため、二次回路において安定した起電力が得られる。
【００１６】
好ましくは、前記ユニットカバーに形成された被係合部に係合する係合部を有し、前記ユニットを前記容器から取り出すための棒状の取出スティックを備える。
【００１７】
長い筒状のポット（容器）内で水素水を生成した後に、ユニットを取出スティックで取り出すことができる。そのため、ユニットの取出後に、水出しコーヒーなど種々の飲料を当該ポットを用いて作ることができ、至便である。
【００１８】
好ましくは、前記ベースは前記容器の底部が嵌合する嵌合凹所が形成されたトップケースと、前記トップケースとの間において前記第１基板を収容するボトムケースとを備える。
【００１９】
この場合、ボトムケースと協働して第１基板を収容するトップケースに容器の底部が嵌合する。したがって、容器がトップケース上に安定した状態で水素水が生成される。
【実施例】
【００２０】
以下、本考案の一実施例を図面にしたがって説明する。
図１に示すように、本実施例の水素水生成器は、容器１、ベース２、ユニット３および取出スティック４を有する。
【００２１】
図２Ｂに示すように、前記ベース２には前記容器１が載置され、電磁誘導のための一次回路を有する第１基板１１が内蔵されている。
前記ベース２は前記容器１の底部が嵌合する嵌合凹所２０が形成されたトップケース２１と、前記トップケース２１との間において前記第１基板１１を収容するボトムケース２２とを備える。
【００２２】
図２Ｂにおいて、前記ユニット３は本体ケース３１、ユニットカバー３５、第２基板１２および第３基板１３を備える。
【００２３】
前記第２基板１２は、本体ケース３１に水密状態で収容され、前記一次回路への給電で電磁誘導により電力を発生する二次回路を有する。前記第３基板１３は前記二次回路からの電力で前記原水の一部を電気分解する一対の電極を構成し、ユニット３内に内蔵されている。
【００２４】
図２Ｂおよび図３Ｂにおいて、前記本体ケース３１は前記第２基板１２を水密状態で収容する。前記第３基板１３は前記一対の電極を形成されている。前記第３基板１３が前記容器１内の原水に接触する状態で前記ユニットカバー３５が前記第３基板１３を覆う。
【００２５】
図２Ｂにおいて、前記取出スティック４は棒状で、前記ユニットカバー３５に形成された被係合部３５ｅに係合する係合部４ｅを有し、前記ユニット３を前記容器１から取り出すためのものである。
【００２６】
図３Ｂにおいて、前記本体ケース３１は上下の一対の分割ケース３２，３２の間にシールリング３４を挟んでシールされて前記水密構造となっている。
【００２７】
前記第３基板１３の一対の電極の構造としては、例えば、実用新案登録第３１９３８３３号の構造が採用されてもよい。
【００２８】
図３Ｂにおいて、前記ユニット３（図２Ｂ）内には、多孔部材３６が設けられていてもよい。前記多孔部材３６は図２Ｂの前記容器１内の原水を浄化する。ここで、「浄化」とは、水道水中の塩素成分を低減させる脱塩素の他に、トリハロメタン等の有害物質や匂い等を低減させることのうち、１以上の機能を発揮することをいう。
【産業上の利用可能性】
【００２９】
本考案は飲料、スキンケア水および洗浄水に適した水素水を生成する水素水生成器に適用できる。
【符号の説明】
【００３０】
１：ポット（容器の一例）
２：ベース  ２０：嵌合凹所  ２１：トップケース  ２２：ボトムケース
３：ユニット  ３１：本体ケース  ３２：一対の分割ケース  ３４：シールリング
３５：ユニットカバー  ３５ｅ：被係合部  ３６：多孔部材
４：取出スティック  ４ｅ：係合部
１１：第１基板（一次回路）
１２：第２基板（二次回路）
１３：第３基板（一対の電極）
【図１】
0003209310.tif 000003
【図２】
0003209310.tif 000004
【図３】
0003209310.tif 000005